(57)【要約】【課題】会員制組織のサイトへのアクセスを確実に増やすことを目的とする。【解決手段】会員制組織の会員である複数のウェブログ開設者が、検索エンジンが検索可能な会員制組織のサイトへのリンクを含む各ウェブログサイトに掲載したウェブログの記事を取得する取得手段と、取得手段で取得された記事に含まれるワードに基づいて記事をカテゴリ毎に分類する分類手段と、分類手段でカテゴリ毎に分類された記事を、検索エンジンが検索可能な会員制組織のサイトに掲載すると共に、検索エンジンが検索可能な会員制組織のサイトへのリンクを含む集約サイトに掲載する掲載手段と、を有することによって課題を解決する。【選択図】図１
2011034217.tif 000002
【特許請求の範囲】
【請求項１】
会員制組織の会員である複数のウェブログ開設者が、検索エンジンが検索可能な前記会員制組織のサイトへのリンクを含む各ウェブログサイトに掲載したウェブログの記事を取得する取得手段と、
前記取得手段で取得された記事に含まれるワードに基づいて記事をカテゴリ毎に分類する分類手段と、
前記分類手段でカテゴリ毎に分類された記事を、検索エンジンが検索可能な前記会員制組織のサイトに掲載すると共に、検索エンジンが検索可能な前記会員制組織のサイトへのリンクを含む集約サイトに掲載する掲載手段と、を有するシステム。
【請求項２】
前記掲載手段は、前記分類手段でカテゴリ毎に分類された記事を、検索エンジンが検索可能な前記会員制組織のパソコン用のサイト及び携帯用のサイトに掲載すると共に、検索エンジンが検索可能なパソコン用の集約サイト及び携帯用の集約サイトに掲載する、請求項１記載のシステム。
【請求項３】
前記取得手段は、設定された時間間隔で、前記会員制組織の会員のうち、登録されている複数のウェブログ開設者のウェブログサイトのＵＲＬにアクセスし、ＲＳＳ情報を取得することでウェブログの記事を取得する、請求項１又は２記載のシステム。
【請求項４】
管理者操作に基づいて、カテゴリと、ワードと、を関連付ける設定情報を設定する設定手段を更に有し、
前記分類手段は、前記設定手段で設定された設定情報と、前記取得手段で取得された記事に含まれるワードと、に基づいて記事をカテゴリ毎に分類する、請求項１乃至３何れか１項記載のシステム。
【請求項５】
前記設定手段は、管理者操作に基づいて、商品モニターのカテゴリと、前記商品モニターの商品のワードと、を関連付ける設定情報を設定し、
前記分類手段は、前記設定情報と、前記取得した記事に含まれるワードと、に基づいて商品モニターの記事を、商品モニターのカテゴリに分類し、
前記掲載手段は、前記商品モニターのカテゴリに分類された商品モニターの記事を、検索エンジンが検索可能な前記会員制組織のサイトの商品モニターのカテゴリに対応する箇所に掲載すると共に、検索エンジンが検索可能な前記会員制組織のサイトへのリンクを含む集約サイトの商品モニターのカテゴリに対応する箇所に掲載する、請求項４記載のシステム。
【請求項６】
前記設定手段で設定された商品モニターのカテゴリと、前記商品モニターの商品のワードと、を関連付ける設定情報の設定毎に、又は前記取得手段で取得された前記商品モニターの記事数に応じて、前記商品に関する企業に対する課金情報を計数する計数手段を更に有する、請求項５記載のシステム。
【請求項７】
会員制組織の会員である複数のウェブログ開設者が、検索エンジンが検索可能な前記会員制組織のサイトへのリンクを含む各ウェブログサイトに掲載したウェブログの記事を取得する取得手段と、
前記取得手段で取得された記事に含まれるワードに基づいて記事をカテゴリ毎に分類する分類手段と、
前記分類手段でカテゴリ毎に分類された記事を、検索エンジンが検索可能な前記会員制組織のサイトに掲載すると共に、検索エンジンが検索可能な前記会員制組織のサイトへのリンクを含む集約サイトに掲載する掲載手段と、
を有するサーバ装置。
【請求項８】
コンピュータを、
会員制組織の会員である複数のウェブログ開設者が、検索エンジンが検索可能な前記会員制組織のサイトへのリンクを含む各ウェブログサイトに掲載したウェブログの記事を取得する取得手段と、
前記取得手段で取得された記事に含まれるワードに基づいて記事をカテゴリ毎に分類する分類手段と、
前記分類手段でカテゴリ毎に分類された記事を、検索エンジンが検索可能な前記会員制組織のサイトに掲載すると共に、検索エンジンが検索可能な前記会員制組織のサイトへのリンクを含む集約サイトに掲載する掲載手段と、
して機能させるプログラム。
【発明の詳細な説明】
【技術分野】
【０００１】
本発明は、会員制組織のサイトへのアクセスを確実に増やすことができるシステム、サーバ装置及びプログラムに関する。
【背景技術】
【０００２】
従来、サイトへの集客を目的とした様々な技術が開示されている（例えば、特許文献１参照。）。
【先行技術文献】
【特許文献】
【０００３】
【特許文献１】特開２００３−１３２２６９号公報
【発明の概要】
【発明が解決しようとする課題】
【０００４】
しかしながら、特許文献１の技術では、会員制組織のサイトへのアクセスを確実に増やすことはできなかった。
【０００５】
本発明はこのような問題点に鑑みなされたもので、会員制組織のサイトへのアクセスを確実に増やすことを目的とする。
【課題を解決するための手段】
【０００６】
そこで、本発明のシステムは、会員制組織の会員である複数のウェブログ開設者が、検索エンジンが検索可能な前記会員制組織のサイトへのリンクを含む各ウェブログサイトに掲載したウェブログの記事を取得する取得手段と、前記取得手段で取得された記事に含まれるワードに基づいて記事をカテゴリ毎に分類する分類手段と、前記分類手段でカテゴリ毎に分類された記事を、検索エンジンが検索可能な前記会員制組織のサイトに掲載すると共に、検索エンジンが検索可能な前記会員制組織のサイトへのリンクを含む集約サイトに掲載する掲載手段と、を有する。
なお、集約サイトとは、例えば、複数の会員制組織サイトを集約したサイト、又は複数の会員制組織サイト間の情報連携、送客等を行い、それぞれの活性化を図るサイト、又は会員制組織の上部団体組織のサイト等である。
【発明の効果】
【０００７】
本発明によれば、会員制組織のサイトへのアクセスを確実に増やすことができる。
【図面の簡単な説明】
【０００８】
【図１】本実施形態の概要を説明するための図である。
【図２】サーバ装置（コンピュータ）のハードウェア構成の一例を示した図である。
【図３】サーバ装置のソフトウェア構成の一例を示した図である。
【図４】管理者画面の一例を示した図である。
【発明を実施するための形態】
【０００９】
以下、本発明の実施形態について図面に基づいて説明する。
【００１０】
図１は、本実施形態の概要を説明するための図である。
まず、システムは、会員制組織の会員の中から会員制組織に関する記事を書いてくれるウェブログ開設者（以下、会員制組織ブロガーという）を例えば、会員制組織サイト内の例えば応募画面等を介して募集する。そして、システムは、応募画面等を介して応募してきた会員制組織の会員でもある会員制組織ブロガーの登録番号や、ウェブログ（以下、ブログという）のＵＲＬ、会員の住所、会員の年齢、会員の性別等を会員制組織ブロガー情報として、後述する記憶装置（メモリ）に登録する。なお、システムは、会員の住所等は、会員制組織のシステム等から登録番号に基づき取得するようにしてもよい。
【００１１】
そして、会員制組織ブロガーには、各会員制組織ブロガーが各ウェブログサイト（ブログサイト）に開設しているブログに記事を書いてもらう。なお、システムは、例えば、会員制組織ブロガーに会員制組織サイトへのリンク等が張られたコンテンツを会員制組織ブロガーがダウンロード可能に提供し、会員制組織ブロガーのブログから会員制組織サイトへアクセス可能にしてもらう。
そして、システムは、設定された（又は予め定められた）時間毎に会員制組織ブロガーが、検索エンジンが検索可能な各ブログサイトに掲載したブログの記事を取得する。
システムは、取得した記事を、記事に含まれるワード等に基づきカテゴリ別に分類し、該当するカテゴリに分類された記事を、検索エンジンが検索可能な会員制組織のサイト及び集約サイトに掲載する。なお、システムは、例えば、集約サイト（又はサイトの管理者）に会員制組織サイトへのリンク等が張られたコンテンツを提供し、集約サイトから会員制組織サイトへアクセス可能にしてもらう。
【００１２】
上述したような構成とすることによって、図１に示されるように、会員制組織の会員のみが会員制組織サイトにアクセスするだけではなく、ブログの記事を介して（又はブログの前記コンテンツを介して）ブログの読者が会員制組織サイトにアクセスする。また、集約サイトのブログの記事を介して（又はサイトの前記コンテンツを介して）、集約サイトのアクセス者（例えば、集約サイトが通信販売企業のサイトであった場合は、通信販売企業のメールマガジン等を介した顧客、通信販売企業のカタログに同封されたチラシ等を介した顧客）等が会員制組織サイトにアクセスする。また、検索エンジン等を介した一般のインターネットユーザが、ブログの記事や、会員制組織サイトに掲載されたブログの記事や、集約サイトに記載されたブログの記事を検索し、会員制組織サイトにアクセスする。
このように、本実施形態のシステムの処理によれば、会員制組織のサイトへのアクセスを確実に増やすことができる。なお、会員制組織サイトには、例えば、会員制組織の会員になるための登録画面へのリンク等があるものとする。
【００１３】
上述したシステムは、１つのサーバ装置に実行してもよいし、複数のサーバ装置に実行してもよい。なお、以下では説明の簡略化のため、上述したシステムを１つのサーバ装置に実行した場合を例に説明を行う。
図２は、サーバ装置（コンピュータ）のハードウェア構成の一例を示した図である。
図２に示されるようにサーバ装置１は、ハードウェア構成として、ＣＰＵ１１を含む。
ＣＰＵ１１が、記憶装置１３に記憶されている、プログラムに基づき処理を行うことによって、後述する機能（ソフトウェアの機能）を実現する。
また、ＣＰＵ１１には、バス１０を介して、入力装置１２、記憶装置１３及び表示装置１４が接続されている。記憶装置１３は、例えば、ＲＯＭ、ＲＡＭ、ハードディスク装置等からなり、上述した各プログラム以外に、プログラムに基づく処理で用いられるデータ（例えば取得したブログの記事や後述する設定情報等）を記憶する。表示装置１４は、情報（例えば後述する管理者画面等）を表示する例えばディスプレイ等である。入力装置１２は、情報を入力する例えば操作キー等である。
【００１４】
図３は、サーバ装置（又はシステム）のソフトウェア構成の一例を示した図である。
図３に示されるようにサーバ装置１は、ソフトウェア構成（機能構成）として、取得部２１と、分類部２２と、掲載部２３と、設定部２４と、計数部２５と、マーケット情報生成部２６と、を含む。
取得部２１は、設定された時間間隔で、会員制組織ブロガー情報に記載されているブログのＵＲＬにアクセスし、ＲＳＳ情報を取得することでブログの記事を取得する。なお、取得部２１は、会員制組織ブロガーが所定の人数以下の場合は、一度に各ブロガーのＲＳＳ情報を取りに行き、会員制組織ブロガーが所定の人数以上の場合は、何回かに分けて各ブロガーのＲＳＳ情報を取りに行く。
より具体的に説明すると、取得部２１は、例えば、会員制組織ブロガーが１０人以下の場合、一度に各ブロガーのＲＳＳ情報を取りに行く。そして、取得部２１は、例えば、会員制組織ブロガーが１０人より多い場合、例えば４０人であった場合、４０人を例えば１０人毎の４つのグループに分け、２４時間／４＝６時間おきにグループに含まれる会員制組織ブロガーのＲＳＳ情報を取りに行く。このようにすることで、ＲＳＳ情報の取得に係る処理を分散させることができる。
【００１５】
分類部２２は、後述する設定部２４で設定された設定情報と、取得部２１で取得された記事（ＲＳＳ情報）に含まれるワードと、に基づいて記事をカテゴリ毎に分類する。ここで、設定部２４の機能を説明する。設定部２４は、図４に示されるような管理者画面を介した管理者操作に基づいて、カテゴリと、前記カテゴリに記事を分類するためのワード（キーワード）と、前記カテゴリに関する有効期間と、記事（又はカテゴリ）の掲載場所と、を設定情報として記憶装置１３等に記憶する。設定情報においては、カテゴリと、ワードと、カテゴリに関する有効期間と、掲載場所と、が関連付けられている。なお、分類部２２は、カテゴリに分類されないブログの記事は削除する。
ここで、図４には図示していないが、管理者画面で禁止ワードを設定できるようにしてもよい。禁止ワードを設定可能な構成とした場合、設定情報には、カテゴリと関連付けられて禁止ワードが含まれる。分類部２２は、記事にワードが含まれている場合であっても、禁止ワードが含まれている場合は、記事をカテゴリに分類せず、削除するようにしてもよい。また、分類部２２は、記事に例えばアフィリエイトに関するリンク情報又はコンテンツ等が含まれていた場合は、禁止ワードと同様、カテゴリに分類せず、削除するようにしてもよい。
掲載部２３は、分類部２２によってカテゴリに分類された記事をカテゴリ毎に分類された記事を、検索エンジンが検索可能な会員制組織のパソコン用のサイト及び携帯用のサイトに掲載すると共に、検索エンジンが検索可能なパソコン用の集約サイト及び携帯用の集約サイトに掲載する。なお、掲載部２３は、記事（又はカテゴリ）を設定情報に含まれる掲載場所に掲載する。
また、掲載部２３は、例えば、記事へのアクセス数をカウントし、カウントしたアクセス数に応じて記事をランク付けし、ランクに応じて記事の表示位置を変化させるようにしてもよい。このとき掲載部２３は、会員制組織のパソコン用のサイト及び携帯用のサイトそれぞれにおいてランク付けを行ってもよいし、会員制組織のパソコン用のサイトのみでランク付けを行い、携帯用のサイトではパソコン用のサイトのランク付けを反映させるようにしてもよい。また、掲載部２３は、会員制組織のサイトのランク付けを集約サイトに反映させる。
【００１６】
ここで、設定部２４は、図４に示したような管理者画面を介した管理者操作に基づいて、商品モニターのカテゴリや商品モニターの商品のワードを含む設定情報を作成することができる。このような場合、分類部２２は、設定部２４で設定された設定情報と、取得部２１で取得された記事（ＲＳＳ情報）に含まれるワードと、に基づいて商品モニターの記事を、商品モニターのカテゴリに分類する。掲載部２３は、分類部２２によって商品モニターのカテゴリに分類された商品モニターの記事を、検索エンジンが検索可能な会員制組織のサイトの商品モニターのカテゴリに対応する箇所に掲載すると共に、検索エンジンが検索可能な会員制組織とは異なる会員制組織のサイトの商品モニターのカテゴリに対応する箇所に掲載する。
計数部２５は、このような商品モニターをシステムで実現する際に、商品モニターに関する商品の企業等に料金を請求するため、課金情報を計数する。より具体的に説明すると、計数部２５は、例えば、設定部２４で商品モニターのカテゴリが設定された場合、設定毎に所定の料金を前記商品モニターに関する商品の企業等に請求するため所定の課金情報（料金）を計数する。また、計数部２５は、例えば、商品モニターのカテゴリに分類された商品モニターの記事数に応じて、課金情報（料金）を計数するようにしてもよい。計数部２５は、計数した課金情報を、不図示の課金システム等に送信し、課金に係る処理を課金システム等で行ってもらってもよいし、既存の課金システムの機能を自身で有し、計数した課金情報を、設定されている該当する企業の口座等から引き落とす処理を実行してもよいし、課金情報を記載した領収証の電子データを作成し、ネットワークを介して接続されたプリンタ等に出力したりしてもよい。
計数部２５を有することによって、システムにおいて商品モニター等を実現する際の企業に対する課金等が自動で行われるため、システムの管理が簡単になる。
マーケット情報生成部２６は、商品モニターに関する記事を書いた会員制組織ブロガーの会員制組織ブロガー情報や商品モニターに関する記事等に基づいて、商品モニターに関するマーケット情報を生成する。より具体的に説明すると、マーケット情報生成部２６は、商品モニターに関する記事を書いた会員制組織ブロガーの会員制組織ブロガー情報に基づいて、商品モニターに興味を持って記事を書いてくれた会員制組織ブロガーの年齢に関する分布情報、性別毎の割合情報、地域毎の分布情報等をマーケット情報として生成する。また、マーケット情報生成部２６は、商品モニターに関する記事に含まれるワード等に基づいて、商品モニターに満足しているか、不満があるか、どちらでもないか等のカテゴリに商品モニターに関する記事を書いた会員制組織ブロガーを分類し、カテゴリ毎に会員制組織ブロガーの年齢に関する分布情報、性別毎の割合情報、地域毎の分布情報等をマーケット情報として生成するようにしてもよい。
マーケット情報生成部２６を有することによって、システムにおいて商品モニターを実施した際に、マーケット情報を自動で生成することができるため、前記商品に関するこれからの販売計画等の参考になる。
なお、マーケット情報生成部２６で生成されたマーケット情報を例えば所定の記憶領域に記憶することによってダウロード可能にする場合、計数部２５は、マーケット情報のダウンロード数等をカウントし、ダウンロード数に応じた課金情報を計数するようにしてもよい。
【００１７】
以上、本実施形態のサーバ装置１又はシステムによれば、会員制組織のサイトへのアクセスを確実に増やすことができる。
また、本実施形態のサーバ装置１又はシステムによれば、新商品や隠れた逸品等をブロガーがモニターし、モニターした結果の記事を会員制組織のサイトや集約サイトに掲載することができる。その結果、会員制組織の会員や非会員によさを伝え、非会員には会員制組織のサイトを介した会員制組織への登録を促すことができる。
【００１８】
以上、本発明の好ましい実施形態について詳述したが、本発明は係る特定の実施形態に限定されるものではなく、特許請求の範囲に記載された本発明の要旨の範囲内において、種々の変形・変更が可能である。
ここで、上述した会員制組織とは、例えば、任意の団体が組織する会員団体、特定企業の購買顧客（会員）の集団、趣味・嗜好・目的・属性等の一致した個人の団体等をいう。会員制組織の一例としては、例えば、婦人会組織、特定政治家の後援会、宅配食材提供サービス企業、店舗・通信販売企業（購買顧客集団）、生活協同組合、趣味サークル、県人会、同窓会等がある。また、共通の関心事のブログ情報が集約化されることによりバーチャルなコミュニティを形成できる母集団であれば会員制組織ということができる。
【符号の説明】
【００１９】
１  サーバ装置
【図１】
2011034217.tif 000003
【図２】
2011034217.tif 000004
【図３】
2011034217.tif 000005
【図４】
2011034217.tif 000006